(57)【要約】【課題】微弱な人工光を照射する光源で充電できる照明器具を提供する。【解決手段】照明器具１００は、微弱な人工光を照射する光源１０の近傍に配置され、人工光の光エネルギーを電気エネルギーに変換して蓄電する充電式の照明器具であって、太陽電池２０と、ＤＣ／ＤＣコンバータ３０と、蓄電池４０と、発光駆動回路６０と、高輝度ＬＥＤ７０と、明暗検出部７５と、検出回路８０と、電子スイッチ９０等を備えている。ＤＣ／ＤＣコンバータ３０は、充電開始時に、太陽電池２０が変換した電力の電圧を降圧し、電流を増幅する。電子スイッチ９０は、蓄電池４０の端子電圧（又は電流）が所定値になった後に、太陽電池２０と蓄電池４０を直結して充電を継続的に行い、さらに、蓄電池４０の電流が規定値になったときに、太陽電池２０とＤＣ／ＤＣコンバータ３０との電気的な接続を自動的に切断して、蓄電池４０の充電を完了する。【選択図】図１
2006147220.tif 000002
【特許請求の範囲】
【請求項１】
人工光を照射する光源の光エネルギーを電気エネルギーに変換して蓄電する充電式の照明器具であって、
光エネルギーを電気エネルギーに変換し、この電気エネルギーを電源として供給する光電気変換素子と、
前記光電気変換素子が変換した電気エネルギーの電圧を降圧し、電流を増幅するＤＣ／ＤＣコンバータと、
前記ＤＣ／ＤＣコンバータの出力により充電され、メモリ効果を生じない蓄電池と、
前記蓄電池の端子電圧又は電流を検出する検出部と、
前記検出部からの検出信号に基づいて、前記蓄電池の端子電圧又は電流が所定値になった後に、前記光電気変換素子と前記蓄電池を直結するスイッチ部と、
を備えた照明器具。
【請求項２】
請求項１に記載の照明器具において、
前記蓄電池の電気エネルギーにより発光する発光体と、
周囲の照度を検出する明暗検出部と、
前記照度が所定値以下であるときに、前記蓄電池から前記発光体に電気エネルギーを供給する発光駆動部と、
をさらに備えたことを特徴とする照明器具。
【発明の詳細な説明】
【技術分野】
【０００１】
本発明は、光エネルギーを電気エネルギーに変換して蓄電する充電式の照明器具に関するものである。
【背景技術】
【０００２】
従来、この種の照明器具は、電源として太陽電池が用いられており、昼間に、太陽光を電気エネルギーに変換し、この電気エネルギーを蓄電池（例えば、ニッカド電池、ニッケル水素電池）に充電すると共に、夜間に放電することにより、適宜の発光体（例えば、発光ダイオード）を点灯させて、周囲を照明する。
【０００３】
太陽電池は、本来、太陽を光源にすることを前提に設計されているので、微弱な人工光を照射する人工光源（例えば、蛍光灯等）から得られる電気エネルギーは、微弱なものになってしまう。
このため、太陽電池を用いた充電式の照明器具は、太陽光が照射されず、人工光源が設置された場所（例えば、建物内、地下街、地下駐車場、地下鉄構内、地下鉄のトンネル等）では、容量の大きな蓄電池に十分な電気エネルギーを充電することが極めて困難であり、人工光源が停電等により使用不能となったときに、発光体を点灯させることができない。
【０００４】
図６は、一般的な充電回路を示す説明図である。
充電回路２００は、ニッカド電池やニッケル水素電池等の蓄電池２０４を充電する定電圧・定電流型の回路であって、例えば、電源（太陽電池）２０１と、定電圧回路２０２と、定電流回路２０３等とを備えている。なお、太陽電池２０１は、開放電圧をｅ（Ｖ）、内部抵抗をｒ（Ω）とする。
【０００５】
ここで、蓄電池２０４に充電を開始したときに、充電回路２００に流れる電流ｉ（Ａ）について説明する。但し、充電を開始したときには、蓄電池２０４は完全に放電済み（すなわち、０（Ｖ））と仮定する。
図７は、充電開始時での充電回路２００の等価回路を示す図である。
充電回路２００は、蓄電池２０４の内部抵抗が太陽電池２０１の内部抵抗ｒに比べて極めて小さい値であるので、蓄電池２０４の内部抵抗を無視（すなわち、０（Ω））すると、その内部に、短絡電流ｉ（＝ｅ／ｒ）が流れる。
【０００６】
図８は、蓄電池２０４の充電特性を示す図である。なお、図中、実線は充電電流、点線は充電容量、一点鎖線は電池電圧を示し、充電時の温度は２５℃とした。
蓄電池２０４は、充電開始時から約６０ｍｉｎの間に、７００（ｍＡ）程度の充電電流（初期電流）が流れると共に、充電容量が０〜８０％程度まで上昇し、さらに、電池電圧が０〜４．２（Ｖ）まで緩やかに上昇する。なお、初期電流とは、充電開始時に必要とされる充電電流をいう。
また、蓄電池２０４は、充電開始時から約６０ｍｉｎ以上経過したときには、充電電流が流れ難くなり、充電容量が１００％程度まで緩やかに上昇する。なお、電池電圧は、定格電圧４．２（Ｖ）を維持する。
このように、充電回路２００は、蓄電池２０４に充電を開始させるために、短絡電流ｉの大きい十分な電力を蓄電池２０４に供給する必要があった。
したがって、充電回路２００を備えた照明器具を、太陽光が照射されず、人工光源が設置された場所に設置して、蓄電池２０４を十分に充電するためには、起電力の大きい巨大な太陽電池を用いる必要がある。
【０００７】
しかし、実際に、この巨大な太陽電池を用いる場合には、高コスト化、設置の困難性等、多くの問題が発生する。例えば、蛍光灯を有する建物内で、ニッカド電池（開放電圧４．２（Ｖ）、初期電流７００（ｍＡ））を充電する場合には、太陽電池の面積は、１平方メートル以上必要となってしまう。
【０００８】
一方、特許文献１は、停電時でも非常用照明として点灯可能な照明装置として、太陽電池により充電される蓄電池と、この蓄電池からの電力供給により点灯する太陽電池用ランプと、太陽電池用ランプとは別に商用電源より電力供給されて点灯する商用電源用ランプと、蓄電池の電圧が予め定められた値以下であると検知されたときに、商用電源により蓄電池を充電することが可能な充電装置とを備えたものを開示している。
特許文献１の照明装置によれば、悪天候により太陽電池の発電量が少なく、蓄電池が十分に充電されていない場合には、商用電源を用いて追加充電することができ、悪天候の日が続いた後でも太陽電池用ランプを支障なく点灯させることができる。
【０００９】
しかし、特許文献１の照明装置は、太陽光が照射されやすい位置に太陽電池を取付ける必要があり、あくまで屋外の非常用照明として用いられており、さらに、太陽電池用ランプを停電時に確実に点灯させるために、商用電源を用いて蓄電池を予め充電しなければならず、装置が大掛かりになってしまい、設置する場所が限定される可能性があった。
【００１０】
【特許文献１】特開２００１−２１０１１３号公報
【発明の開示】
【発明が解決しようとする課題】
【００１１】
本発明の課題は、微弱な人工光を照射する光源で充電できる照明器具を提供することである。
【課題を解決するための手段】
【００１２】
本発明は、以下のような解決手段により、前記課題を解決する。なお、理解を容易にするために、本発明の実施例に対応する符号を付して説明するが、これに限定されるものではない。
請求項１の発明は、人工光を照射する光源（１０）の光エネルギーを電気エネルギーに変換して蓄電する充電式の照明器具であって、光エネルギーを電気エネルギーに変換し、この電気エネルギーを電源として供給する光電気変換素子（２０）と、前記光電気変換素子（２０）が変換した電気エネルギーの電圧を降圧し、電流を増幅するＤＣ／ＤＣコンバータ（３０）と、前記ＤＣ／ＤＣコンバータ（３０）の出力により充電され、メモリ効果を生じない蓄電池（４０）と、前記蓄電池（４０）の端子電圧又は電流を検出する検出部（８０）と、前記検出部（８０）からの検出信号に基づいて、前記蓄電池（４０）の端子電圧又は電流が所定値になった後に、前記光電気変換素子（２０）と前記蓄電池（４０）を直結するスイッチ部（９０）と、を備えた照明器具である。
【００１３】
請求項２の発明は、請求項１に記載の照明器具において、前記蓄電池（４０）の電気エネルギーにより発光する発光体（７０）と、周囲の照度を検出する明暗検出部（７５）と、前記照度が所定値以下であるときに、前記蓄電池（４０）から前記発光体（７０）に電気エネルギーを供給する発光駆動部（６０）と、をさらに備えたことを特徴とする照明器具である。
【発明の効果】
【００１４】
（１）本発明の照明器具は、光電気変換素子が変換した電気エネルギーの電圧を降圧し、電流を増幅するＤＣ／ＤＣコンバータを備えたので、人工光を照射する光源から微弱な電気エネルギーしか得られない場合であっても、蓄電池に充電を開始できる。
また、蓄電池は、メモリ効果を生じないので、いわゆる継ぎ足し充電を行っても、容量が低下することがなく、長期間使用することができる。
さらに、蓄電池の端子電圧又は電流が所定値になった後に、光電気変換素子と蓄電池を直結するスイッチ部を備えたので、蓄電池に電流が流れ難くなっても、充電を継続的に行うことができる。
【００１５】
（２）周囲の照度が所定値以下であるときに、蓄電池から発光体に電気エネルギーを供給する発光駆動部を備えるので、例えば、人工光を照射する光源が停電等により使用不能となったときに、発光体を発光させることができる。
【発明を実施するための最良の形態】
【００１６】
本発明は、微弱な人工光を照射する光源で充電するという目的を、光電気変換素子が変換した電気エネルギーの電圧を降圧し、電流を増幅するＤＣ／ＤＣコンバータの出力により、蓄電池を充電することによって実現する。
【実施例】
【００１７】
以下、図面等を参照して、本発明の実施例をあげて、さらに詳しく説明する。
図１は、本発明の実施例による照明器具を示す図である。
照明器具１００は、微弱な人工光を照射する光源（例えば、蛍光灯等）１０の近傍に配置され、人工光の光エネルギーを電気エネルギー（以下、電力という）に変換して蓄電する充電式の照明器具であって、例えば、充電回路５０と、発光駆動回路６０と、発光体である高輝度発光ダイオード（以下、高輝度ＬＥＤという）７０と、明暗検出部７５と、検出回路８０と、電子スイッチ９０等を備えている。
【００１８】
充電回路５０は、太陽電池２０と、ＤＣ／ＤＣコンバータ３０と、蓄電池４０等とを備えている。太陽電池２０は、いわゆる光電気変換素子であって、光源１０の近傍に配置され、光エネルギーを電力に変換し、この電力を電源として供給する。なお、太陽電池２０は、小型化された既存のものを適用できる。
ＤＣ／ＤＣコンバータ３０は、太陽電池２０が変換した電力の電圧を降圧し、電流を増幅する（詳細は、後述）。
【００１９】
蓄電池４０は、例えば、一般的なリチウムイオン二次電池であって、正極及び負極と、正極と負極との間に配置される微多孔膜のセパレータと、非水電解質とを有する。この蓄電池４０は、不完全な充電と放電とを繰り返すことにより、電池容量が低下してしまう、いわゆるメモリ効果が生じないので、継ぎ足し充電を行ったとしても、充放電のサイクルを３００〜５００回程度繰り返すことができる。
【００２０】
また、蓄電池４０は、一般的な蓄電池と同様な充電特性を有し、充電開始時に、その内部に大きな初期電流（例えば、７００（ｍＡ）程度）を流す必要がある（図８参照）。この初期電流は、蓄電池４０の内部に化学変化を生じさせ、充電を開始させるために必要な最低限の電流である。
しかし、太陽電池２０は、微弱な人工光を照射する光源１０の近傍に配置されているので、十分な電力を発生することが困難である。
そこで、本発明者らは、蓄電池４０を十分に充電するための電カが太陽電池２０から得られないので、電圧はある程度犠牲にしても、電流を増幅すれば充電が開始されることに着目した。
【００２１】
図２は、充電回路５０を示す回路図である。
ＤＣ／ＤＣコンバータ３０は、１次側に、開放電圧ｅ（Ｖ）、内部抵抗ｒ（Ω）の太陽電池２０が接続されており、２次側に、開放電圧Ｅ（Ｖ）、内部抵抗Ｒ（Ω）の蓄電池４０が接続されている。
ＤＣ／ＤＣコンバータ３０は、１次側で、直流電源である太陽電池２０から出力される直流電圧を、半導体スイッチ等の適宜のスイッチング素子により交流電圧に変換した後に、不図示のトランスにより電圧を降圧する。
また、ＤＣ／ＤＣコンバータ３０は、２次側で、トランスにより降圧された交流電圧を、ダイオードや平滑コンデンサー等からなる整流回路により直流電圧に整流して、蓄電池４０に出力する。ＤＣ／ＤＣコンバータ３０の１次側と２次側とでは、電力が一定であるので、トランスで降圧されることにより、電流は増幅される。
【００２２】
図３は、充電回路５０を示す等価回路図であり、図３（ａ）は、充電開始時の状態を示し、図３（ｂ）は、充電開始時からある程度時間が経過した状態を示す。
ＤＣ／ＤＣコンバータ３０は、トランスの１次側巻線と２次側巻線との巻き数比（編成比）によって、電圧を降圧することができる。ここでは、編成比を２：１として、電圧を１／２に降圧した場合について説明する。
但し、充電開始時では、蓄電池４０の開放電圧Ｅを０（Ｖ）と仮定すること、蓄電池４０の内部抵抗Ｒ（例えば、数ｍΩ）は、太陽電池２０の内部抵抗ｒ（例えば、数Ω）に比べて極めて小さい値であるので、無視（すなわち、Ｒ＝０（Ω））すること、ＤＣ／ＤＣコンバータ３０の効率を１００％と仮定すること、太陽電池２０の内部抵抗ｒを一定であると仮定すること、太陽電池２０から得られる電カを一定であると仮定すること、を前提とする。
【００２３】
まず、ＤＣ／ＤＣコンバータ３０では、トランスの１次側と２次側とでは電力が一定であり、トランスにより電圧が１／２に降圧されているので、充電開始時に蓄電池４０に流れる電流をｉａとすると、電流ｉａは、次式（１）で示される。
ｅ・ｅ／ｒ＝ｅ／２・ｉａ
ｉａ＝２ｅ／ｒ      （１）
すなわち、電流ｉａは、１次側の電流ｅ／ｒに比べて２倍に増幅されている。
また、充電開始時での充電回路５０の抵抗値は、（ｅ／２）／（２ｅ／ｒ）＝ｒ／４となる。
【００２４】
したがって、ＤＣ／ＤＣコンバータ３０は、編成比を変更することにより、初期電流（例えば、７００（ｍＡ）程度）より大きい電流ｉａを、蓄電池４０に流すことができる。このため、充電回路５０は、人工光を照射する光源１０から微弱な電力しか得られない場合であっても、蓄電池４０に充電を開始させることができる。なお、編成比は、２：１に限らず、３：１、４：１にしてもよく、この場合には、電流ｉａは、１次側の電流に比べて３倍、４倍に増幅される。
【００２５】
つぎに、蓄電池４０には、充電開始時に電流ｉａが流れるので、充電開始時からある程度時間が経過すると、蓄電池４０の端子電圧が０（Ｖ）から徐々に上昇して、Ｅ（Ｖ）になる。このとき、蓄電池４０に流れる電流をｉｂとすると、図３（ｂ）に示すように、充電開始時において、充電回路５０の電圧をｅ／２（Ｖ）、抵抗をｒ／４（Ω）とみなすことができるので、電流ｉｂは、次式（２）で示される。
ｉｂ＝（ｅ／２−Ｅ）／（Ｒ＋ｒ／４）
＝（２ｅ−４Ｅ）／（４Ｒ＋ｒ）      （２）
ここで、式（１）、（２）を比較すると、Ｒはｒに比べて極めて小さい値なので、
ｒ≒４Ｒ＋ｒとみなすことができ、さらに、Ｅ＞０であるので、電流ｉａ＞電流ｉｂとなる。
したがって、蓄電池４０に流れる電流は、蓄電池４０の端子電圧の上昇に伴って、充電開始時からある程度時間が経過すると徐々に減少することになる。
【００２６】
しかし、蓄電池４０は、その充電容量を１００％にするには、電流を継続的に流す必要がある。
そのため、照明器具１００では、蓄電池４０の端子電圧が所定値以上（又は、蓄電池４０に流れる電流が所定値以下）になった後に、太陽電池２０と蓄電池４０を直結するようにした（詳細は、後述）。
【００２７】
再び、図１に戻って説明する。
検出回路８０は、蓄電池４０に接続されており、蓄電池４０の端子電圧（又は、蓄電池４０に流れる電流）を検出し、電子スイッチ９０に検出信号を出力する回路である。
電子スイッチ９０は、検出回路８０からの検出信号に基づいて、蓄電池４０の端子電圧が所定値以上（又は、蓄電池４０に流れる電流が所定値以下）になった後に、太陽電池２０と蓄電池４０を直結するスイッチである。
【００２８】
ここで、太陽電池２０と蓄電池４０を直結する理由について説明する。
ＤＣ／ＤＣコンバータ３０は、充電開始時に、電圧を降圧して電流を増幅することにより、蓄電池４０に初期電流以上の電流を流して、蓄電池４０に充電を開始させることができる。しかし、充電開始時からある程度時間が経過した場合には、蓄電池４０の端子電圧は上昇し、そして、太陽電池２０の電圧と略同じ水準になってしまうと、蓄電池４０に電流が流れ難くなってしまう。
このため、電子スイッチ９０は、蓄電池４０に充電が継続的に行われるように、蓄電池４０の端子電圧が太陽電池２０の電圧と同じ水準になる前に、検出回路８０の検出信号に基づいて、太陽電池２０と蓄電池４０を直結する。このとき、太陽電池２０で発生した微弱な電力は、ＤＣ／ＤＣコンバータ３０を回避して、蓄電池４０に直接供給される。
【００２９】
また、電子スイッチ９０は、検出回路８０の検出信号に基づいて、蓄電池４０に充電が継続的に行われ、蓄電池４０に流れる電流が規定値（ここでは、蓄電池４０の充電容量が略１００％であるときの電流の値）になった場合には、太陽電池２０とＤＣ／ＤＣコンバータ３０との電気的な接続を切断する機能も有する。
これにより、電子スイッチ９０は、蓄電池４０の充電容量が略１００％になったときに、充電を完了させることができる。
【００３０】
高輝度ＬＥＤ７０は、高輝度で発光可能な発光体であって、蓄電池４０の電力により発光する。明暗検出部７５は、例えば、照度センサであって、周囲の照度を検出し、その検出結果を発光駆動部６０に出力する。
【００３１】
発光駆動部６０は、蓄電池４０に蓄えられた電力を高輝度ＬＥＤ７０に供給する回路であり、その内部に、不図示の昇圧用ＤＣ／ＤＣコンバータを備えている。発光駆動部６０は、明暗検出部７５で検出された照度が所定値以下であるときに、蓄電池４０に蓄えられた電力の電圧を昇圧して、高輝度ＬＥＤ７０に電力を供給する。これにより、発光駆動部６０は、高輝度ＬＥＤ７０の輝度をさらに高めることができる。
このため、照明器具１００は、例えば、停電等により光源１０が使用不能になった場合に、高輝度ＬＥＤ７０を高い輝度で発光させることができる。
【００３２】
図４は、本発明の実施例による照明器具１００の設置状態を示す図である。なお、一例として、照明器具１００が地下鉄のトンネルに設置された場合について説明する。
地下鉄のトンネルの壁面１１０には、１０〜２０ｍ間隔で光源（蛍光灯）１０が設置されている。照明器具１００は、この光源１０の近傍に設置されている。
照明器具１００は、支持台１０１に支持されており、例えば、両端部には、高輝度ＬＥＤ７０がそれぞれ配置され、この高輝度ＬＥＤ７０の間には、その上面にフィルム２１が貼り付けられた太陽電池２０が配置されている。
支持台１０１は、支持脚１０２ａ，１０２ｂを備えており、この支持脚１０２ａ，１０２ｂは、地下鉄のトンネルの壁面１１０にねじ止め等により固定されている。また、地下鉄のトンネルの壁面１１０には、固定板１０３が取付けられており、この固定板１０３は、支持台１０１の端面と接触して、光源１０に対する支持台１０１の位置を安定させている。
【００３３】
太陽電池２０は、支持台１０１に支持されることにより、光源１０に対向している。このため、太陽電池２０は、光源１０から照射される微弱な人工光を十分に受けることができる。
通常、屋外で用いられる太陽電池は、その上面に、保護のための強化ガラスを取り付ける必要がある。これに対して、太陽電池２０は、光源１０から照射される微弱な人工光から微弱な電力を発生可能であればよく、その上面を強化ガラスで保護する必要がない。
また、太陽電池２０は、光源１０から照射される微弱な人工光を受けているので、その表面温度は５０℃程度までしか上昇しない。このため、フィルム２１は、耐熱温度が５０℃以上であれば、塩化ビニル、ポリエチレンテレフタレート等、適宜の材質のものを用いてもよい。なお、フィルム２１を、太陽電池２０の上面に貼り付ける場合には、熱や圧力による接着、両面テープ等による貼り付け等、適宜の方法を用いてもよい。
【００３４】
つぎに、この照明器具１００で用いられる蓄電池４０の寿命について説明する。
以下、一例として、照明器具１００が地下鉄のトンネルに設置された場合について説明する。なお、地下鉄のトンネルに設置された蛍光灯は、通常、常に点灯している。
まず、蓄電池４０は、充電回路５０により充電容量が１００％になるまで充電される。このとき、蓄電池４０の端子電圧は、定格電圧（例えば、４．２（Ｖ））となる。その後、電子スイッチ９０は、充電を完了させて、例えば、蓄電池４０の端子電圧が３．０（Ｖ）程度に下がるまで充電しないようにする。
このため、蓄電池４０の端子電圧は、自己放電により、徐々に下がってくるが、蓄電池４０の自己放電は非常に少なく、端子電圧が４．２（Ｖ）から３．０（Ｖ）に下がるには、２〜３ヶ月程度を要する。
【００３５】
照明器具１００は、端子電圧が３．０（Ｖ）になった後に、再び、充電回路５０により蓄電池４０の充電容量が１００％になるまで充電する。すなわち、照明器具１００では、２〜３ヶ月毎に蓄電池４０を充電すればよく、１年間で４〜６回の充電を行うだけでよい。
また、蓄電池４０は、たとえ、継ぎ足し充電を行ったとしても、充放電のサイクルを３００〜５００回繰返すことができるリチウムイオン二次電池であり、さらに、未使用のまま放置するのではなく、２〜３ヶ月毎に充電されるので、リフレッシュされる。
したがって、照明器具１００では、蓄電池４０の寿命を、例えば、１０年程度にまで延ばすことができ、蓄電池４０を頻繁に取り替える必要がない。
【００３６】
また、照明器具１００から得られる電力について説明する。
照明器具１００では、太陽電池２０が蛍光灯（例えば、４０Ｗ）の人工光から１時間に２０（ｍＡ）程度の電力（２０ｍＡｈ）を発生すると仮定した場合には、太陽電池２０が１年間（すなわち、３６０×２４ｈ）で発生する電力は、１７０（Ａｈ）程度の大きな電力となる。この照明器具１００から得られた電力は、予備電源や再利用可能な電源として使用してもよい。
さらに、照明器具１００では、蛍光灯１本当たり、１年間に１７０（Ａｈ）程度の電力を得ることができるので、地下鉄のトンネルに１０〜２０ｍ間隔で設置された蛍光灯の本数を考慮すると、膨大な電力を得ることができ、この電力を他の電源として有効利用することもできる。
【００３７】
したがって、照明器具１００によれば、太陽電池２０から発生する微弱な電力を蓄電池４０に効率よく充電することができる。このため、照明器具１００は、建物内や地下鉄のトンネル等の太陽光が照射されず、微弱な人工光を照射する光源１０が設置された場所に、設置することができる。
また、照明器具１００は、蓄電池４０として、リチウムイオン二次電池を用いているので、蓄電池４０を頻繁に取り替える必要がなく、メンテナンス等に要するコストを下げることができる。
さらに、照明器具１００は、既存の太陽電池２０の上面に、強化ガラスの代わりにフィルム２１を貼り付けるだけでよいので、照明器具１００を光源１０の近傍に配置するときに要するコストを下げることができる。
さらにまた、照明器具１００は、発光駆動回路６０により、蓄電池４０の電圧を昇圧して高輝度ＬＥＤ７０に電力を供給するようにしたので、例えば、災害等により停電が発生して光源１０が使用不能になった場合に、高輝度ＬＥＤ７０をより高輝度で発光させることができる。
【００３８】
（変形例）
以上説明した実施例に限定されることなく、種々の変形や変更が可能であって、それらも本発明の均等の範囲内である。
（１）照明器具１００は、光源１０の近傍であって、光源１０から照射される人工光を受けることができるのであれば、適宜の位置に配置してもよい。
図５は、本発明による照明器具の他の設置状態を示す図である。
照明器具１００Ａは、図５（ａ）に示すように、その両端が光源１０を覆うように曲げられた反射板１１に設けられている。太陽電池２０Ａは、その上面にフィルム２１が貼り付けられており、光源１０に所定間隔（例えば、数ｃｍ）を隔てて対向している。このようにすれば、照明器具１００Ａを光源１０の近傍に容易に設置することができる。
照明器具１００Ｂは、図５（ｂ）に示すように、照明器具１００Ａと比べると、所定の角度で傾斜した傾斜面を有する反射板１１Ａに複数設けられた点が異なる。また、太陽電池２０Ｂは、その上面にフィルム２１が貼り付けられており、それぞれの光源１０から同程度の距離を隔てて対向している。このようにすれば、照明器具１００Ｂは、それぞれの光源１０から照射される人工光により、高輝度ＬＥＤ７０を同程度の輝度で発光させることができる。
照明器具１００Ｃは、図５（ｃ）に示すように、不図示の回転機構を備えた取付け部により取付けられている。太陽電池２０Ｃは、その上面にフィルム２１が貼り付けられており、例えば、地下鉄のトンネルの壁面１１０に取り付けられた基台１１に支持された光源１０に対向している。このようにすれば、照明器具１００Ｃは、太陽電池２０Ｃが光源１０から照射される人工光を十分に受けることができるように、光源１０に対する太陽電池２０Ｃの角度を容易に調整することができる。
（２）明暗検出部７５は、周囲の照度を独立して検出していたが、これに限られず、太陽電池２０に直接接続して、太陽電池２０が発生する電力に基づいて、周囲の照度を検出してもよい。
（３）照明器具１００は、太陽光が照射されない場所に設置するようにしたが、これに限られず、夜間、真っ暗にすることのない公共施設（例えば、公園等）の外灯等の近傍に設置するようにしてもよい。このようにすれば、照明器具１００は、昼間は太陽光、夜間は外灯からの人工光により周囲の照度が大きいので、高輝度ＬＥＤ７０は点灯しないが、災害等により夜間に停電が発生して外灯が使用不能になった場合には、高輝度ＬＥＤ７０を点灯させることができる。
【図面の簡単な説明】
【００３９】
【図１】本発明の実施例による照明器具を示す図である。
【図２】充電回路５０を示す回路図である。
【図３】充電回路５０を示す等価回路図である。
【図４】本発明の実施例による照明器具１００の設置状態を示す図である。
【図５】本発明による照明器具の他の設置状態を示す図である。
【図６】一般的な充電回路を示す説明図である。
【図７】充電開始時での充電回路２００の等価回路を示す図である。
【図８】蓄電池２０４の充電特性を示す図である。
【符号の説明】
【００４０】
１０    光源
２０    太陽電池
３０    ＤＣ／ＤＣコンバータ
４０    蓄電池
５０    充電回路
６０    発光駆動回路
７０    高輝度ＬＥＤ
７５    明暗検出部
８０    検出回路
９０    電子スイッチ
１００    照明器具
【図１】
2006147220.tif 000003
【図２】
2006147220.tif 000004
【図３】
2006147220.tif 000005
【図４】
2006147220.tif 000006
【図５】
2006147220.tif 000007
【図６】
2006147220.tif 000008
【図７】
2006147220.tif 000009
【図８】
2006147220.tif 000010